(57)【特許請求の範囲】
【請求項１】
傾斜した被取付面の傾斜に沿って固定されてなる箱形の昇降装置本体の両端部に、当該昇降装置本体の上部から下部にわたって延長するコ字状の案内レールの脚部が当該昇降装置本体の軸芯に平行に傾斜して移動可能に取付けられ、かつ該コ字状の案内レールは前記昇降装置本体との間に掛けられたレール駆動ばねにて常時下方に附勢されるように昇降装置本体に支持され、該昇降装置本体の内部に前記一対のコ字状の案内レールに対応して配設された昇降用モータにて駆動される巻取ドラムに巻取・巻戻し自在に支持された吊下索により前記コ字状の案内レールの脚部の下端に吊設された昇降体に照明器具が取付けられ、前記昇降体は前記案内レールの脚部の下端に取付けられた複数対の滑車と該昇降体に取付けられた滑車を介して吊設され、前記昇降用モータの駆動により前記巻取ドラムから吊下索が送り出されることにより前記昇降体が前記案内レールの脚部を移動させながら傾斜して下降し、さらに前記案内レールの下端に配置された複数対の滑車のうち傾斜した面の下側に位置する滑車を介して前記昇降体がほぼ水平位置を保持された状態で下降するように構成されていることを特徴とする照明器具等の昇降装置。
【請求項２】
傾斜した被取付面の傾斜に沿って固定されてなる箱形の昇降装置本体の一端部に、当該昇降装置本体の上部から下部にわたって延長するコ字状の案内レールの脚部が当該昇降装置本体の軸芯に平行に傾斜して移動可能に取付けられ、かつ該コ字状の案内レールは前記昇降装置本体との間に掛けられたレール駆動ばねにて常時下方に附勢されるように昇降装置本体に支持され、該昇降装置本体の内部に配設された昇降用モータにて駆動される巻取ドラムに巻取・巻戻し自在に支持された吊下索により前記コ字状の案内レールの脚部の下端に吊設された昇降体に照明器具が取付けられ、前記昇降体は前記案内レールの脚部の下端に取付けられた複数対の滑車と該昇降体に取付けられた滑車を介して吊設され、前記昇降用モータの駆動により前記巻取ドラムから吊下索が送り出されることにより前記昇降体が前記案内レールの脚部を移動させながら傾斜して下降し、さらに前記案内レールの下端に配置された複数対の滑車のうち傾斜した面の下側に位置する滑車を介して前記昇降体がほぼ水平位置を保持された状態で下降するように構成されていることを特徴とする照明器具等の昇降装置。
【請求項３】
前記昇降体の上面に、該昇降体が傾斜して下降する際に当該昇降体がその自重によって前記案内レールの端面と平行に位置ずれしないように当該昇降体を支持するための一対のガイド板が突設され、少なくとも傾斜した面の下側に位置するガイド板は、その高さが前記昇降体に設けた滑車の直径と前記案内レールの脚部の下端に設けた滑車の半径の和より大きく、かつ先端が上方で傾斜した面に向けて屈曲せしめて構成されていることを特徴とする請求項１または２に記載の照明器具等の昇降装置。
【発明の詳細な説明】
【０００１】
【発明の属する技術分野】
本発明は、天井にセットされた照明器具等を、照明器具等の交換や修理時に、照明器具等が取り付けられた昇降体を下降させ、作業終了後に上昇させて原位置にセットする照明器具等の昇降装置に関するものである。
【０００２】
【従来の技術】
住宅の吹き抜けやデパートの天井などに取り付けられた照明器具等の交換や修理を簡単に行うために、例えば特開昭６３−６４２０８号公報に開示されているように、天井に取り付けられる本体に対して、照明器具等が搭載された昇降体が上昇、下降自在な照明器具等の昇降装置が提案されている。
【０００３】
【発明が解決しようとする課題】
前述の提案に係る照明器具等の昇降装置は、照明器具等が天井面等の被取付面にほぼ水平に取り付けられた場合を対象にしているために、例えば、階段やエスカレータに傾斜した天井面等の被取付面が形成された建造物で、この被取付面に取り付けられる照明器具等に適用しようとすると、昇降体が下降時傾斜下方に位置ズレし照明器具が被取付面に接触して、照明器具等の保守作業が危険なことがある。
【０００４】
本発明は前述したようなこの種の照明器具等の昇降装置の現状に鑑みてなされたものであり、その目的は、傾斜した被取付面に取り付けた照明器具等の保守作業を安全に行うことが可能な照明器具等の昇降装置を提供することにある。
【０００５】
【課題を解決するための手段】
本発明に係る照明器具等の昇降装置は、傾斜した被取付面の傾斜に沿って固定されてなる昇降装置本体の両端部に、当該昇降装置本体の上部から下部にわたって延長するコ字状の案内レールの脚部が当該昇降装置本体の軸芯に平行に傾斜して移動可能に取付けられ、かつ該コ字状の案内レールは前記昇降装置本体との間に掛けられたレール駆動ばねにて常時下方に附勢されるように昇降装置本体に支持され、該昇降装置本体の内部に前記一対のコ字状の案内レールに対応して配設された昇降用モータにて駆動される巻取ドラムに巻取・巻戻し自在に支持された吊下索により前記コ字状の案内レールの脚部の下端に吊設された昇降体に照明器具が取付けられ、前記昇降体は前記案内レールの脚部の下端に取付けられた複数対の滑車と該昇降体に取付けられた滑車を介して吊設され、前記昇降用モータの駆動により前記巻取ドラムから吊下索が送り出されることにより前記昇降体が前記案内レールの脚部を移動させながら傾斜して下降し、さらに前記案内レールの下端に配置された複数対の滑車のうち傾斜した面の下側に位置する滑車を介して前記昇降体がほぼ水平位置を保持された状態で下降するように構成されていることを特徴とするものである。
【０００６】
また、本発明に係る照明器具等の昇降装置は、傾斜した被取付面の傾斜に沿って固定されてなる昇降装置本体の一端部に、当該昇降装置本体の上部から下部にわたって延長するコ字状の案内レールの脚部が当該昇降装置本体の軸芯に平行に傾斜して移動可能に取付けられ、かつ該コ字状の案内レールは前記昇降装置本体との間に掛けられたレール駆動ばねにて常時下方に附勢されるように昇降装置本体に支持され、該昇降装置本体の内部に配設された昇降用モータにて駆動される巻取ドラムに巻取・巻戻し自在に支持された吊下索により前記コ字状の案内レールの脚部の下端に吊設された昇降体に照明器具が取付けられ、前記昇降体は前記案内レールの脚部の下端に取付けられた複数対の滑車と該昇降体に取付けられた滑車を介して吊設され、前記昇降用モータの駆動により前記巻取ドラムから吊下索が送り出されることにより前記昇降体が前記案内レールの脚部を移動させながら傾斜して下降し、さらに前記案内レールの下端に配置された複数対の滑車のうち傾斜した面の下側に位置する滑車を介して前記昇降体がほぼ水平位置を保持された状態で下降するように構成されていることを特徴とするものである。
さらに、本発明装置は、前記昇降体の上面に、該昇降体が傾斜して下降する際に当該昇降体がその自重によって前記案内レールの端面と平行に位置ずれしないように当該昇降体を支持するための一対のガイド板を突設し、少なくとも傾斜した面の下側に位置するガイド板は、その高さを前記昇降体に設けた滑車の直径と前記案内レールの脚部の下端に設けた滑車の半径の和より大きく、かつ先端を上方で傾斜した面に向けて屈曲せしめて構成することが好ましい。
【０００７】
本発明では、上記の通り構成されているため。昇降装置本体が、傾斜した天井面等の被取付面に固設され、照明器具等が取り付けられた昇降体が、昇降装置本体に一端が、また他端が巻取ドラムに固定されたループ状の吊下索によって、昇降装置本体に対して上下動自在に移動し、通常取付状態では昇降体が昇降装置本体に対接配置され、かつ昇降体は昇降装置本体に、必要に応じロック手段によってロック保持され、保守時には、昇降体は昇降装置本体から下降移動され、被取付面からほぼ水平になるように、吊下索によって吊り下げ保持される。
この場合、昇降装置本体の内部に配置され、吊下索が巻装された巻取ドラムが、昇降用モータにより逆転されると、昇降体が昇降装置本体に対接した対接位置と中間下降位置間では、レール駆動ばねが、昇降体を昇降装置本体から離反させるよう下方に附勢して、昇降体の昇降装置本体に対する下降移動は案内レールに案内されて行われ、昇降体は昇降装置本体に平行に所定距離下降する。
この中間下降位置からは、昇降用モータによりさらに逆転される巻取ドラムによって、前記レールの下端に配置された複数対の滑車のうち傾斜した面の下側に位置する滑車を中心に前記昇降体が水平に近づきながら下降するように、一方の滑車に巻回された吊下索が送り出され、昇降体は保守等のためにほぼ水平に位置される。
【０００８】
【発明の実施の形態】
次に本発明を添付図面に基づいて説明する。
まず本発明の第１の実施例を、図１ないし図５を参照して説明する。
図１は本実施例の構成を示す取付状態の正面図、図２は本実施例の構成を示す取付状態の側面図、図３は本実施例の構成を示す取付解除過程の側面図、図４は本実施例の構成を示す取付解除中間時の側面図、図５は本実施例の構成を示す取付解除終了時の側面図である。
【０００９】
本実施例は、傾斜した被取付面である天井面１に固定される箱形の昇降装置本体２と、該装置本体の長手方向に長い照明器具３が取り付けられているとともに、天井面１への通常の取り付け状態では、本体２と対接配置され、一方照明器具３の保守時には本体２から下降移動され、吊下索５によって吊り下げ保持される昇降体４と、を備えている。
前記昇降装置本体２の長手方向のほぼ中央位置にロック具６ａが、昇降体４の長手方向のほぼ中央位置には前記ロック具６ａと対応してロック具６ｂが設けられ、昇降装置本体２と昇降体４との対接状態では、ロック具６ａ、６ｂが互いに係合され、この係合状態をロックする電磁ソレノイド７が、本体２のロック具６ａの近傍に配設されている。
【００１０】
前記昇降装置本体２内部の長手方向の両端部には、ガイド部１３ａが形成されたレール支持部１３が設けられており、このレール支持部１３に昇降装置本体上部から本体下部にわたって延長するコ字状の案内レール１１が設けられている。そのレール取付け手段は、該案内レール１１の一対の脚部１１ａが本体２内部において、レール支持部１３のガイド部１３ａ間に挿通されている。そして、本体２と案内レール１１の上端部のブリッジ部１１ｂ間に、昇降体４を本体２から離す方向（下方に向けて）に附勢しているレール駆動ばね１２が取り付けられている。
【００１１】
また、前記昇降装置本体２内部の長手方向の両端部の近傍において、吊下索５の一端が固定され、かつ該吊下索５を巻装する巻取ドラム８がそれぞれ配設され、巻取ドラム８の近傍には、巻取ドラム８を駆動する昇降用モータ９がそれぞれ配設されている。前記レール１１の脚部１１ａの下端部には、巻取ドラム８に対向して複数対の滑車１０ａがそれぞれ配設され、巻取ドラム８に巻装された吊下索５は、滑車１０ａに巻回され、滑車１０ａに対向して昇降体４の上面に配設されている滑車１０ｂに巻回され、かつ吊下索５の他端は、滑車１０ａの上方において、レール支持部１３のガイド部１３ａの内面に固定されている。
【００１２】
一方、前記昇降体４の上面に、前記レール１１の脚部１１ａの下端部に取付けられた滑車１０ａ、１０ａの装置本体幅方向の間隔とほぼ等しい間隔をおいて該滑車１０ｂ、１０ｂと一対のガイド板１４ａ、１４ｂが突設されており、少なくとも傾斜した面の下側に位置するガイド板１４ａの高さを前記昇降体４に設けた滑車１０ｂの直径とレール１１の脚部１１ａの下端に設けた滑車１０ａの半径の和より大きくし、かつ先端を上方で傾斜した面に向けて屈曲せしめてほぼ「く」字状となるよう構成したものである。
【００１３】
このような構成の本実施例の動作を説明する。
図２は照明器具３を取付けた昇降体４が、傾斜した天井面１に取り付けられた取付状態を示し、電磁ソレノイド７によって、互いに係合されたロック具６ａ、６ｂはロックされ、昇降体４は本体２に対接配置されている。この対接配置状態から、照明器具３等の保守を行う場合には、先ず、電磁ソレノイド７によるロック状態を解除し、次いで昇降用モータ９を駆動して、巻取ドラム８を吊下索５を巻戻す方向に逆転させると、巻取ドラム８から吊下索５が送り出され、レール駆動ばね１２の附勢力と昇降体４の自重とによって、昇降体４は、案内レール１１の脚部１１ａをガイド部１３ａに沿って移動させながら、本体２の軸芯に平行に傾斜しながら下降を開始する。この際に、昇降体４がその自重によってレール１１の脚部１１ａの端面と平行に位置ズレしないようにガイド板１４ａ、１４ｂにより昇降体４を支持する。
【００１４】
そして、昇降体４が、本体２の軸芯に平行に傾斜して移動し、図３に示すように、案内レール１１のブリッジ部１１ｂが、レール支持部１３の端面に当接した中間下降位置から、さらに巻取ドラム８が吊下索５を送り出すので、昇降体４は、レール１１の下側に配置され傾斜した面の下側に位置する滑車１０ａを中心に反時計回り方向に回動するように移動し、昇降体４が水平位置を保持され（図４参照）、次いで昇降用モータ９の駆動を継続して、図５に示すように、昇降体４は傾斜した天井面１からほぼ水平に安全に吊り下げられる。
【００１５】
このように、昇降体４を傾斜した天井１から昇降体４を水平に吊り下げた状態にして、昇降体４に取り付けられている照明器具３の保守等を行い、保守等終了後は昇降用モータ９を駆動して巻取ドラム８を正転させると前記吊り下げ動作と逆動作を行って、昇降体４を傾斜した天井面１に固設されている本体２に対接するよう位置する。
すなわち、まず昇降用モータ９を駆動して、巻取ドラム８が吊下索５を巻き取る方向に正転されると、図５の状態から、図４の中間解除位置に昇降体４が上昇移動するが、この際に前記ガイド板１４ａ、１４ａの屈曲先端部によって滑車１０ａと１０ｂとが正しく当接するよう案内される。昇降体４は滑車１０ａを中心に時計回り方向に回動して、図３に示すように、滑車１０ｂが、案内レール１１の下端に配置した滑車１０ａに当接した状態となる。さらに、巻取ドラム８が正転されると、吊下索５が、案内レール１１に沿って巻き取られるので、ガイド板１４ａ、１４ｂによって位置ズレを防止されつつ案内レール１１がガイド部１３ａに沿って傾斜して上昇移動し、図２に示すように昇降体４が本体２に対接する。
昇降体４が本体２に対接すると、対接位置検出手段によって該対接が検出され、電磁ソレノイド７が作動して互いに係合されたロック具６ａ、６ｂがロックされる。
【００１６】
このように本実施例によると、傾斜した天井面１に取り付けられた照明器具３を支持した昇降体４が、ガイド板１４ａ、１４ｂにより位置ズレを防止されながら案内レール１１とレール支持部１３のガイド部１３ａによって案内されて、本体２の軸芯に平行に傾斜して所定距離移動し、その後送り出される吊下索５によつて、昇降体４が水平方向に向くように滑車１０ａを中心に回動し、次いで下降するので、傾斜した天井面１に取り付けられた照明器具３を、保守時に水平方向に吊り下げ、保守作業を安全に行うことが可能になる。
なお上記実施例においては昇降体４が、電磁ソレノイド７により動作するロック具６ａ、６ｂにより本体２にロック保持される例を示したが、かかるロック具６ａ、６ｂは安全手段であって、昇降用モータ９の力により昇降体４は本体２との対接位置に十分保持できる。
【００１７】
次に、本発明の第２の実施例を、図６ないし図１０を参照して説明する。
図６は本実施例の構成を示す取付状態の正面図、図７は本実施例の構成を示す取付状態の側面図、図８は本実施例の構成を示す取付解除過程の側面図、図９は本実施例の構成を示す取付解除中間時の側面図、図１０は本実施例の構成を示す取付解除終了時の側面図である。
【００１８】
この実施例は、前記第１の実施例に比べ照明器具３Ａの箱形の昇降装置本体２Ａ及び昇降体４Ａの横軸方向の長さが短く、これに伴って本体２Ａ及び昇降体４Ａの長手方向の長さも比較的短い場合である。
本実施例では、昇降装置本体２Ａの長手方向の一方の端部に、吊下索５の一端が固定され、さらに吊下索５を巻装する巻取ドラム８が配設され、巻取ドラム８の近傍には、巻取ドラム８を駆動する昇降用モータ９が配設されている。また、案内レール１１、レール駆動ばね１２、及びレール支持部１３も、それぞれ１つのみ設けられているものである。
この実施例のその他の部分の構成は、すでに説明した第１の実施例の構成とほぼ同一である。
【００１９】
第２の実施例では、昇降装置本体２Ａの長手方向の一方の端部に設けられた巻取ドラム８と巻取ドラム８を駆動する昇降用モータ９とによって、本体２Ａと昇降装置本体２Ａの長手方向の一方の端部においてのみ、吊下索５の巻戻し及び巻き取りが行われ、吊下索５によって昇降体４Ａが、本体２Ａに近付き或いは本体２Ａから遠ざかる方向に上下動自在に移動する。
【００２０】
【発明の効果】
本発明によると、傾斜した天井面に固設された昇降装置本体の長手方向の少なくとも一方の端部に設けられ、吊下索が巻装された巻取ドラムが、昇降用モータで下降方向に逆転されると、照明器具等が取り付けられた昇降体が、本体に対接した対接位置と中間下降位置間では、昇降体は案内レールに案内されて、本体に平行に所定距離下降し、中間下降位置からは、昇降用モータで下降方向に回動される巻取ドラムにより、昇降体がほぼ水平方向になるように、一方の滑車に巻回された吊下索が送り出され、昇降体は保守のためにほぼ水平に配置されるので、傾斜した天井面に取り付けられた照明器具等の保守を、簡単な操作によって安全に行うことが可能になる。
また前記昇降体の上面に一対のガイド板を突設することにより、取付解除過程と取付解除中間時との間で前記ガイド板は昇降体の支持体として働いて、レールとの位置ズレを防止し、一方取付解除終了時から取付解除中間時へ昇降体が上昇する際には昇降体の案内として働いて昇降体をレールに対する正規位置に導くものである。
【図面の簡単な説明】
【図１】本発明の第１の実施例の構成を示す取付状態の正面図である。
【図２】同実施例の構成を示す取付状態の側面図である。
【図３】同実施例の構成を示す取付解除過程の側面図である。
【図４】同実施例の構成を示す取付解除中間時の側面図である。
【図５】同実施例の構成を示す取付解除終了時の側面図である。
【図６】本発明の第２の実施例の構成を示す取付状態の正面図である。
【図７】同実施例の構成を示す取付状態の側面図である。
【図８】同実施例の構成を示す取付解除過程の側面図である。
【図９】同実施例の構成を示す取付解除中間時の側面図である。
【図１０】同実施例の構成を示す取付解除終了時の側面図である。
【符号の説明】
１  天井面
２、２Ａ  本体
３、３Ａ  照明器具
４、４Ａ  昇降体
５  吊下索
６ａ、６ｂ  ロック具
７  電磁ソレノイド
８  巻取ドラム
９  昇降用モータ
１０ａ、１０ｂ  滑車
１１  案内レール
１２  レール駆動ばね
１４ａ、１４ｂ  ガイド板
【図１】
0003914597.tif 000002
【図２】
0003914597.tif 000003
【図３】
0003914597.tif 000004
【図４】
0003914597.tif 000005
【図５】
0003914597.tif 000006
【図６】
0003914597.tif 000007
【図７】
0003914597.tif 000008
【図８】
0003914597.tif 000009
【図９】
0003914597.tif 000010
【図１０】
0003914597.tif 000011